(57)【要約】【課題】  接続しようとする２つのフレキシブル配線板の夫々の回路導体のピッチが異なる場合でも簡単に両配線板を接続することができるようにする。【解決手段】  ２つのフレキシブル配線板１，２の各端部が夫々挿入される一対の挿入口３，４が設けられ、内部に各挿入口３，４から挿入されてきたフレキシブル配線板１，２同士を電気的に接続する電気接続子５を複数設けたコネクタハウジング６を備え、一方のフレキシブル配線板１に形成された複数の回路の露出された回路導体１Ａ間のピッチと他方のフレキシブル配線板２の回路導体２Ａ間のピッチが異なり、単一片から形成された夫々の電気接続子５に回路導体１Ａ，２Ａに接触する一対の接続突起８，９を形成し、この電気接続子５の単一片に形成された接続突起８，９の一端側を一方のフレキシブル配線板１の回路導体１Ａのピッチに合わせ、他端側を他方のフレキシブル配線板２の回路導体２Ａのピッチに合わせるように形成した。【選択図】  図１
2006260804.tif 000002
【特許請求の範囲】
【請求項１】
２つのフレキシブル配線板の各端部が夫々挿入される一対の挿入口が設けられ、内部に各挿入口から挿入されてきたフレキシブル配線板同士を電気的に接続する電気接続子を複数設けたコネクタハウジングを備えたフレキシブル配線板用コネクタにおいて、
一方のフレキシブル配線板に形成された複数の回路の露出された回路導体間のピッチと他方のフレキシブル配線板の回路導体間のピッチが異なり、
単一片から形成された夫々の電気接続子に回路導体に接触する一対の接続突起を形成し、
この電気接続子の単一片に形成された接続突起の一端側を一方のフレキシブル配線板の回路導体のピッチに合わせ、他端側を他方のフレキシブル配線板の回路導体のピッチに合わせるように形成したことを特徴とするフレキシブル配線板用コネクタ。
【請求項２】
前記電気接続子の単一片をクランク状に曲げて形成したものと一端側を他端側よりも幅広に形成したものとを組み合わせて使用したことを特徴とする請求項１に記載のフレキシブル配線板用コネクタ。
【請求項３】
前記電気接続子は、単一片であるプレートの一部分を切りおこして折り曲げたバネ性を有する一対の接続突起を有していることを特徴とする請求項１または２に記載のフレキシブル配線板用コネクタ。
【発明の詳細な説明】
【技術分野】
【０００１】
本発明は、自動車やＯＡ機器等の配線に多く用いられるフレキシブルプリント配線板（ＦＰＣ）とかフレキシブルフラットケーブル（ＦＦＣ）などのフレキシブル配線板の回路導体を互いに接続するためのフレキシブル配線板用コネクタに関する。
【背景技術】
【０００２】
この種、フレキシブル配線板、例えばＦＰＣは、ポリイミドやポリエチレンテレフタレート等の絶縁フィルム（ベースフィルム）上に圧延銅箔や電解銅箔等よりなる回路導体で回路パターンを形成し、さらにその上に前述同様の絶縁フィルム（カバーレイ）を貼り合わせた構造とされている。従って、このようなＦＰＣは可撓性を有し、回路導体がフィルム上にパターン化されているので配線が行ないやすく、特に複雑な回路間や装置間の接続によく利用されている。そしてこのＦＰＣを接続するコネクタとしては、ＦＰＣの端部が挿入される一対の挿入口を有するコネクタハウジングと、コネクタハウジング内に保持されると共に、各挿入口から夫々挿入された各ＦＰＣの端部の回路導体に接触される接続突部を夫々有する単一片から形成された電気接続子と、各ＦＰＣの端部を前記接続突部側に押圧する押圧体とを備えてなるものが開発されている（特許文献１参照）。
【０００３】
この特許文献１に記載のコネクタによれば、図５に示すように、コネクタハウジング１００の各挿入口１０１，１０２より、各ＦＰＣ１０３，１０４の端部が挿入され、夫々の回路導体１０３Ａ，１０４Ａが電気接続子１０５の各接続突部１０６に接触され、ここに電気接続子１０５を通じて両ＦＰＣ１０３，１０４の回路導体１０３Ａ，１０４Ａが互いに接続される。また、押圧体１０７によって各ＦＰＣ１０３，１０４が接続突部１０６側に押圧されるため、各回路導体１０３Ａ，１０４Ａと各接続突部１０６とが圧接され、接触部の信頼性が向上する。そして、ＦＰＣ１０３，１０４の回路導体１０３Ａ，１０４Ａを互いに接続する接続子１０５およびコネクタハウジング１００の単一化が図れ、従って製造工程の単一化が図れ、生産性が向上し、製造コスト低減が図れる、というものである。
【特許文献１】実開平５−３１１６７号公報（第２頁、図１）
【発明の開示】
【発明が解決しようとする課題】
【０００４】
従来のコネクタは、ＦＰＣ同士の露出する回路導体のピッチが同じであり、対応する回路導体を電気接続子によりストレートに接続するだけであり、すなわち２つのＦＰＣの回路導体を対向する１対１の関係で接続するものである。２つのＦＰＣの回路導体のピッチが夫々異なる場合には、従来の電気接続子ではうまく接続できないものであった。また、ＦＰＣとＦＦＣとの接続の場合には、外形制約や製造要件の制約からお互いの端部側の回路導体間ピッチを揃えることが困難な場合もあった。このことは、ＦＦＣ同士の場合でも、ＦＦＣは互いの用途に適した回路導体間ピッチで製造されるため、必ずしも一致しないこともあった。
【０００５】
そこで、本発明は、回路導体間ピッチが異なるフレキシブル配線板同士でも電気的接続を容易にしたフレキシブル配線板用コネクタを提供することを目的とする。
【課題を解決するための手段】
【０００６】
上述の目的を達成するため、本発明は、２つのフレキシブル配線板の各端部が夫々挿入される一対の挿入口が設けられ、内部に各挿入口から挿入されてきたフレキシブル配線板同士を電気的に接続する電気接続子を複数設けたコネクタハウジングを備えたフレキシブル配線板用コネクタにおいて、一方のフレキシブル配線板に形成された複数の回路の露出された回路導体間のピッチと他方のフレキシブル配線板の回路導体間のピッチが異なり、単一片から形成された夫々の電気接続子に回路導体に接触する一対の接続突起を形成し、この電気接続子の単一片に形成された接続突起の一端側を一方のフレキシブル配線板の回路導体のピッチに合わせ、他端側を他方のフレキシブル配線板の回路導体のピッチに合わせるように形成したものである。
【発明の効果】
【０００７】
本発明によれば、２つのフレキシブル配線板の各端部が夫々挿入される一対の挿入口が設けられ、内部に各挿入口から挿入されてきたフレキシブル配線板同士を電気的に接続する電気接続子を複数設けたコネクタハウジングを備えたフレキシブル配線板用コネクタにおいて、一方のフレキシブル配線板に形成された複数の回路の露出された回路導体間のピッチと他方のフレキシブル配線板の回路導体間のピッチが異なり、単一片から形成された夫々の電気接続子に回路導体に接触する一対の接続突起を形成し、この電気接続子の単一片に形成された接続突起の一端側を一方のフレキシブル配線板の回路導体のピッチに合わせ、他端側を他方のフレキシブル配線板の回路導体のピッチに合わせるように形成したので、回路導体間ピッチが異なるフレキシブル配線板同士でも接続が容易に行える。また、２つの配線板の回路導体間ピッチを揃えるように夫々の配線板を形成するよりも、電気接続子の形状を変えて対応する方が、容易であり、低コストである。
【発明を実施するための最良の形態】
【０００８】
以下に、本発明の好適な実施形態を図面を参照にして説明する。
【０００９】
図１は組み立て前のフレキシブル配線板用コネクタを示すものであり、２つのフレキシブル配線板１，２の各端部が夫々挿入される一対の挿入口３，４が設けられ、内部に各挿入口３，４から挿入されてきたフレキシブル配線板１，２同士を電気的に接続する電気接続子５を複数設けたコネクタハウジング６を備えている。また、コネクタハウジング６はアッパー部材６Ａとボトム部材６Ｂとを重ね合わせ一体化して組み立てられるものであり、この内部に前記電気接続子５を収納してある。アッパー部材６Ａとボトム部材６Ｂとは、一方の係止爪が他方の係止部に係止して両部材がロックされて一体的に組み立てられるようになっている。また、ボトム部材６Ｂには仕切壁７が複数形成してあり、この仕切壁７で仕切られた各部屋に複数（この例では４つ）の電気接続子５をセットする。電気接続子５は単一片から形成されたものであり、両端の電気接続子５はクランク状に曲げて形成されたもの５Ａ，５Ｂであり、中間の電気接続子５は一端側を他端側よりも幅広に形成したもの５Ｃ，５Ｄを用いている。また、単一片であるプレートの一部分を切りおこしてバネ性を有する一対の接続突起８，９を有している。夫々一対の接続突起８，９は、プレートの長手方向に沿った直線上には位置していない。
【００１０】
２つのフレキシブル配線板１，２は夫々複数の回路Ｃ１〜Ｃ４を形成してあり、端部側において外部に露出する回路導体１Ａを設けてあり、他方の回路導体２Ａのピッチと一方の回路導体１Ａのピッチとは異なる。この例では、回路導体２Ａ間ピッチは、回路導体１Ａ間ピッチよりも狭く形成されている。
【００１１】
図２は、フレキシブル配線板１または２の断面を示し、ベースフィルム１０とカバーレイ１１との間に回路Ｃ１〜Ｃ４を挟んであり、カバーレイ１１を切欠いた個所に回路導体１Ａ（２Ａ）が外部に露出している。この回路導体１Ａ，２Ａに接続突起８，９が圧接するようになっている。
【００１２】
図３は図１における右側のクランク状に形成された電気接続子５Ｂを示し、単一片からなるプレート５０自体を中間部分で折り曲げたほぼクランク形状に形成し、夫々両端側に切りおこして折り曲げたバネ性を有する一対の接続突起８，９を形成してあるものである。
【００１３】
図４は、接続突起８，９をプレート５０の下側から膨出させた半球状のもので形成したものを示す。
【図面の簡単な説明】
【００１４】
【図１】本発明の実施形態を示す組み立て前の斜視図。
【図２】フレキシブル配線板の断面図。
【図３】電気接続子の斜視図。
【図４】他の電気接続子の斜視図。
【図５】従来例を示す斜視図。
【符号の説明】
【００１５】
１，２  フレキシブル配線板
１Ａ，２Ａ  回路導体
３，４  挿入口
５    電気接続子
６    コネクタハウジング
８，９  接続突起
【図１】
2006260804.tif 000003
【図２】
2006260804.tif 000004
【図３】
2006260804.tif 000005
【図４】
2006260804.tif 000006
【図５】
2006260804.tif 000007